(57)【要約】【課題】カード用紙を搬送方向に対して横方向に裁断する裁断部内において、一対の上下切断刃に切断した余白が付着するのを防止したカード裁断装置及びカード裁断装置における除電方法を提供する。【解決手段】カード裁断装置３０の裁断部１１における上部切断刃２０を覆うカバー２２内にイオナイザー装置２５で発生させたイオン化した空気をパイプ吹き出し口２３から吹き出し、一対の切断刃２０，２１及び同切断刃にて切断されるカード用紙に静電気が帯電するのを防止する。【選択図】図１
2005052927.tif 000002
【特許請求の範囲】
【請求項１】
カード用紙を少なくとも１枚以上載置して保持する給紙トレーと、
前記給紙トレーに保持された前記カード用紙を一枚ずつ取り出して、下流側に配した搬送ローラに送り出す給紙部と、
前記搬送ローラで間欠搬送された前記カード用紙を、同カード用紙の搬送方向に対して横方向に裁断する裁断部と、
前記裁断部で横方向に裁断されたカード用紙を縦方向に裁断するスリッター裁断部と、
前記裁断部及びスリッター裁断部で裁断された余白を収納する余白箱と、
前記スリッター裁断部で裁断されたカードを機外に排出する排出部と、
同排出部から排出された前記カードを受ける製品受けと、
を有してなるカード裁断装置において、
前記カード裁断装置内に、イオナイザー装置と、
同イオナイザー装置にて発生したイオン化した空気を前記裁断部に供給する供給路と、を配したことを特徴とするカード裁断装置。
【請求項２】
前記供給路が、前記裁断部における上下一対の切断刃のうち少なくとも一方の切断刃を覆うカバー内に接続されてなることを特徴とする請求項１記載のカード裁断装置。
【請求項３】
前記供給路が、前記カード裁断装置内の搬送路に前記イオナイザー装置にて発生したイオン化した空気を供給する供給路を兼ね備えてなることを特徴とする請求項１又は２記載のカード裁断装置。
【請求項４】
カード用紙を複数枚積層して保持する給紙トレーと、
前記給紙トレーに保持された前記カード用紙を一枚ずつ取り出し下流側に配した搬送ローラに送り出す給紙部と、
前記搬送ローラで間欠搬送された前記カード用紙を搬送方向に対して横方向に裁断する裁断部と、
前記裁断部で横方向に裁断されたカード用紙を縦方向に裁断するスリッター裁断部と、
前記裁断部及びスリッター裁断部で裁断された余白を収納する余白箱と、
前記スリッター裁断部で裁断されたカードを機外に排出する排出部と、
同排出部から排出された前記カードを受ける製品受けと、
を有してなるカード裁断装置において、
外装カバーにより前記カード裁断装置内部が閉空間に形成され、
同閉空間内にイオン化した空気を供給してなることを特徴とするカード裁断装置における除電方法。
【発明の詳細な説明】
【技術分野】
【０００１】
本発明は、複数葉のカードに対応した印刷または印字が同一シート上にされたカード用紙及び無地の用紙を所望のカードサイズに裁断し、一葉毎のカードを製作できるカード裁断装置に関するものであり、特に、カード用紙を裁断する裁断部での除電を行うことのできるカード裁断装置及びカード裁断装置における除電方法に関するものである。
【背景技術】
【０００２】
従来から用いられているカード裁断装置においては、プリンターや卓上文書印刷機等を用いて１枚のカード用紙上に複数葉のカードに対応する部分を同時に印刷または印字し、印刷または印字したカード用紙を複数枚積層して給紙カセット内に収容する。カード用紙を収容した給紙カセットをカード裁断装置にセットすることで、給紙カセットからカード用紙がカード裁断装置内に１枚づつ供給され、カード裁断装置内に配された裁断部、スリッター裁断部において横方向と縦方向との裁断が行われ、所望のカードサイズに裁断されたカードを必要枚数製作することができる。
【０００３】
カード用紙を搬送方向に対して横方向に裁断する裁断部内には、上下一対の切断刃が配設されており、搬送ローラによって間欠搬送されたカード用紙は、同搬送ローラの間欠駆動制御に同期して駆動制御される上下一対の切断刃により裁断され、余白は裁断部の下方に配置した余白箱に自由落下することになる。
【０００４】
しかし、乾燥した作業環境下で相対湿度が低い場合や、裁断されるカード用紙が印刷、印字等の処理段階において、過度に乾燥した状態となっている場合や、裁断した余白部分が小さくて軽い場合、あるいは裁断部における上下一対の切断刃が十分なアース（接地）が行われていない場合などには、切断後の余白が静電気に基づく影響と考えられる付着で前記切断刃に付着してしまう事態が発生する。特に、裁断部において切断される余白は小さくて軽いため、上述の色々な場合が重なると、更に切断された余白が切断刃に付着してしまう事態が頻繁に発生する。
【０００５】
切断後の余白が前記切断刃に付着したままの状態で、一対の上下切断刃で切断を続行すると、切断位置がずれて斜めに切断を行ったり、切断刃に付着した余白によってカード用紙が斜行搬送されたり、搬送できなくなったりする事態が発生する。このため、正常な裁断作業を行うことが不可能になってしまう。
【０００６】
従来においては、上下一対の切断刃にアース線を接続したり、印字又は印刷されて過度に乾燥しているカード用紙を空気中に暫く曝しておき、カード用紙に適度の湿り気を持たせた後カード裁断装置での裁断を行わせる等の対策を行っていた。
しかし、従来から行っているこれらの対策では、余白が切断刃に付着するのを十分に防止することができなかった。
【発明の開示】
【発明が解決しようとする課題】
【０００７】
本発明では、カード裁断装置におけるカード用紙を搬送方向に対して横方向に裁断する裁断部内において、一対の上下切断刃に切断した余白が付着するのを防止したカード裁断装置及びカード裁断装置における除電方法を提供することにある。
【課題を解決するための手段】
【０００８】
本願発明の課題は本件請求項１〜４に記載された各発明により達成することができる。
即ち、本願請求項１の発明では、カード用紙を少なくとも１枚以上載置して保持する給紙トレーと、前記給紙トレーに保持された前記カード用紙を一枚ずつ取り出して、下流側に配した搬送ローラに送り出す給紙部と、前記搬送ローラで間欠搬送された前記カード用紙を、同カード用紙の搬送方向に対して横方向に裁断する裁断部と、前記裁断部で横方向に裁断されたカード用紙を縦方向に裁断するスリッター裁断部と、前記裁断部及びスリッター裁断部で裁断された余白を収納する余白箱と、前記スリッター裁断部で裁断されたカードを機外に排出する排出部と、同排出部から排出された前記カードを受ける製品受けとを有してなるカード裁断装置において、前記カード裁断装置内にイオナイザー装置と、同イオナイザー装置にて発生したイオン化した空気を前記裁断部に供給する供給路とを配したことを特徴とするカード裁断装置が、最も主要な特徴となしている。
【０００９】
また、本願発明では請求項２に記載したように、前記供給路が、前記裁断部における上下一対の切断刃のうち少なくとも一方の切断刃を覆うカバー内に接続されてなること、また請求項３に記載したように、前記供給路が、前記カード裁断装置内の搬送路に前記イオナイザー装置にて発生したイオン化した空気を供給する供給路を兼ね備えてなることを主要な構成となしている。
【００１０】
更に、本発明では請求項４に記載したように、カード用紙を複数枚積層して保持する給紙トレーと、前記給紙トレーに保持された前記カード用紙を一枚ずつ取り出し下流側に配した搬送ローラに送り出す給紙部と、前記搬送ローラで間欠搬送された前記カード用紙を搬送方向に対して横方向に裁断する裁断部と、前記裁断部で横方向に裁断されたカード用紙を縦方向に裁断するスリッター裁断部と、前記裁断部及びスリッター裁断部で裁断された余白を収納する余白箱と、前記スリッター裁断部で裁断されたカードを機外に排出する排出部と、同排出部から排出された前記カードを受ける製品受けとを有してなるカード裁断装置において、同カード裁断装置内にイオン化した空気を供給してなることを特徴とするカード裁断装置内における除電方法をもう１つの主要な特徴となしている。
【発明の効果】
【００１１】
本願請求項１に記載した発明では、カード裁断装置内にイオナイザー装置を配し、同イオナイザー装置にて発生したイオン化した空気を供給路を介してカード用紙を横方向に裁断する裁断部に供給することができるので、裁断部は常にイオン化された雰囲気下におくことができる。このため、切断刃に発生する静電気をイオンで中和することができ、静電気が切断刃やカード用紙に発生することを防止することができる。
【００１２】
カード用紙から切断された余白に静電気が帯電したり、切断刃に静電気が帯電したりするのを防止することができる。切断された余白は、そのまま落下して下方に設置した余白箱内に収納することができるようになる。これによって、上下一対の切断刃には余白が付着することなく、円滑な裁断を行うことができるようになる。
【００１３】
本願請求項２に記載された発明のように、イオナイザー装置にて発生したイオン化した空気を供給する供給路を、裁断部における上下一対の切断刃のうち少なくとも一方の切断刃を覆うカバー内に接続することで、上下一対の切断刃による切断箇所にイオン化した空気を十分に供給することができるようになる。しかも、既存の前記カバーを利用することで、特別な構成を設けることなく上下一対の切断刃による切断をイオン化された雰囲気下で行うことができ、切断刃に静電気が帯電するのを防止すると共に、切断された余白にも静電気が帯電するのを防止することができる。
【００１４】
本願請求項３に記載された発明では、イオナイザー装置で発生させたイオン化した空気を搬送路にも供給するものであり、これにより、搬送路上を走行中のカード用紙に静電気が帯電するのを防止することができ、裁断部での上下一対の切断刃での切断においても静電気が帯電していない状態のカード用紙を裁断することができるようになる。
【００１５】
請求項４に記載された発明では、イオナイザー装置で発生させたイオン化した空気を外装カバーで覆われたカード裁断装置の内部閉空間に供給することで、カード装置の内部全体をイオン化した空気の雰囲気下におくことができる。これにより、搬送路や、裁断部以外にも静電気が帯電し易い場所を無くすことができ、常に静電気の帯電が防止された状態でカード裁断を行うことができるようになる。
【００１６】
カード裁断装置内にイオン化した空気を供給するイオナイザー装置は、カード裁断装置内に設置することも、カード裁断装置の外部に設置することもできる。また、イオナイザー装置としては、所望のケーシング等の内側に一対の電極針を対峙させて配置した構成を用いて、同一対の電極針にそれぞれプラス・マイナスの直流高電圧を印加することで一対の電極針間にコロナ放電を起こさせることで、空気中のガス成分をイオン化してイオンを発生させることもできる。しかも、一対の電極針を内臓したケーシング等を裁断部におけるカバーに設置することや搬送路近傍に設置することなどを行うことができる。
【００１７】
カード裁断装置の外部にイオナイザー装置を設置したときには、イオナイザー装置としては大型の装置を使用することができる。しかも、イオナイザー装置とカード裁断装置とを接続した適宜の供給管路等により、イオナイザー装置で発生したイオン化した十分な空気をカード裁断装置内に供給することができる。
【発明を実施するための最良の形態】
【００１８】
本発明では、カード裁断装置における裁断部での静電気の影響を排除し、裁断部において切断した余白が切断刃に付着するのを防止し、同切断した余白を裁断部の下部に設置した余白箱内に落下して収納することを、カード裁断装置においてカード用紙を搬送方向に対して横方向に裁断する裁断部、更には搬送路、外装カバーで周囲が覆われたカード裁断装置内にイオン化した空気を供給することによって実現した。
【００１９】
また、本願発明では、カード裁断装置内に設置したイオナイザー装置により発生したイオン化した空気を、裁断部の一対の切断刃の少なくとも一方を覆い、切断箇所の安全性を担保しているカバー内に供給できる構成とすることができる。以下、本発明の好適な実施の形態について添付図面に基づいて具体的に説明する。
【実施例１】
【００２０】
図１は、本発明にかかるカード裁断装置の全体概要断面図であり、図２は図１における裁断部の部分拡大図である。本発明にかかるカード裁断装置についてその概要について図１を用いて説明する。
【００２１】
給紙トレー１に複数枚積層して載置された図示せぬカード用紙は、給紙トレー１下流側に配したピックアップローラ３により１枚づつ取り出されて、給紙ローラ４に搬送される。給紙ローラ４は重送防止パッド６に圧接した状態で配設されており、給紙ローラ４に搬送されたカード用紙が誤って重送されてきたときには、給紙ローラ４と重送防止パッド６の摩擦力の相違によって重送の防止を行うことができる。給紙ローラ４によってカード用紙を１枚だけ確実に下流側に配置した第１搬送ローラ７と第１搬送加圧ローラ８間に搬送する。
【００２２】
給紙ローラ４と第１搬送ローラ７間には、第１検出センサＳ１が配設され、給紙ローラ４で搬送されたカード用紙２の側端部が、所定量以上搬送方向から外れているか否かを検出することができる。
【００２３】
カード用紙２としては、図３、４に示すようにシート上にカードとして形成される部分が複数印刷又は印字されてカード裁断装置で搬送されるが、専用のカード用紙については予め、カード用紙２の角部近傍でカード形成部分に掛からない部位に「｜｜・・｜｜」等の記号を付しておくことで、同記号を検出することにより専用紙か否かを判断することができる。
【００２４】
なお、実施例の説明では給紙トレー１を用いる場合について説明を行うが、本願発明のカード裁断装置３０では、給紙トレー１の代わりにカード用紙を複数枚積載した給紙カセットを用いることもできる。
【００２５】
第１搬送ローラ７と第１搬送加圧ローラ８の下流側に配した第２センサＳ２により搬送された図示せぬカード用紙の先端部が検出されると、第１搬送ローラ７と第１搬送加圧ローラ８とによる搬送が制御され、カード用紙を予め設定した搬送量毎にカード用紙を裁断部１１内に間欠搬送する。
【００２６】
横方向裁断部１１内には、上下一対の刃２０、２１が配設されており、第１搬送ローラ７によって間欠搬送されたカード用紙を、同第１搬送ローラ７の間欠駆動制御に同期して上下一対の切断刃２０、２１により搬送方向に直交する横方向に裁断を行う。上下一対の切断刃２０、２１は、一方の切断刃が他方の切断刃に対して上下動し、他方の切断刃が固定された構成となっている。
【００２７】
図３、４には、カード用紙２のシート上に印刷または印字された複数葉のカードに形成されるカード部３１の配置状態を示している。複数葉のカード部３１が印刷または印字されたカード用紙２は図３、４で示す横切断線３５が上述の横方向裁断部１１内に配設した上下一対の切断刃２０、２１の切断位置に来るように、第１搬送ローラ７によって間欠搬送が行われて位置決めされる。
【００２８】
切断位置が位置決めされた後に、上述の上下一対の切断刃２０、２１によって図３、４で示す横切断線３５に沿っての切断が行われる。切断後、次の横切断線３５が上下一対の切断刃２０、２１の切断位置に来るように、第１搬送ローラ７及び第２搬送ローラ１２によって間欠搬送が行われて位置決めされ、上下一対の切断刃２０、２１による切断が順次行われる。
【００２９】
即ち、最初に第１搬送ローラ７による間欠搬送で横方向裁断部１１内に搬送されたカード用紙は、先端部側の余白３３を横切断線３５に沿って切断され、余白は裁断部１１の下方に配した余白箱２７に落下して収納される。余白３３を切断されたカード用紙２は第１搬送ローラ７によって次の間欠搬送が行われ、加圧ローラ１２’と第２搬送ローラ１２間に狭持されて搬送される。次の横切断線３５が上下一対の切断刃２０、２１の切断位置に位置決めされると、第１搬送ローラ７及び第２搬送ローラ１２の搬送が停止されて、横切断線３５に沿っての切断が行われる。
【００３０】
カード用紙２が図３に示すように次のカードとの間に前後方向の余白３３、即ち、カード用紙の搬送方向に形成された余白がない場合でも、また図４に示すように次のカードとの間に縦方向の余白３３が存在する場合でも、切断されて分離したカード部は、第２搬送ローラ１２によって第３搬送ローラ１３と加圧ローラ１３’間に送られる。
【００３１】
分離したカード部を切断して残ったカード用紙２は、次の横切断線３５が上下一対の切断刃２０、２１の切断位置に来るように第１搬送ローラ７及び第２搬送ローラ１２によって間欠搬送されて位置決めが行われる。図４に示すように次のカードとの間に前後方向の余白３３が存在する場合には、次の切断で前後方向の余白３３の切断が行われると、切断された前後方向の余白３３は、余白箱２７に落下して収納される。
【００３２】
第２搬送ローラ１２と第３搬送ローラ１３間には、第３センサＳ３が配置され、第２搬送ローラ１２によって搬送された横方向に切断されたカード先端の検出が行なわれる。第３センサＳ３によるカード先端の検出によって、第３搬送ローラ１３によるスリッター裁断部１５内への搬送が制御される。
【００３３】
スリッター裁断部１５内には、搬送路を挟んで互いに逆方向に回転する第１回転刃１６ａと第２回転刃１６ｂとが切断する縦切断線３６の数だけ複数配設されている。各第１回転刃１６ａは、第１回転軸１７ａに取り付けられ、図１の紙面に垂直方向で切断する縦切断線３６に対応した位置に複数配されている。また、第２回転刃１６ｂは、第２回転軸１７ｂに取り付けられ、第１回転刃１６ａとの間で縦切断線３６に沿っての切断が行えるように、第１回転刃１６ａと周縁同士が互いに摺り合うようにスプリング等で付勢された状態にて配設されている。
【００３４】
第１回転軸１７ａと第２回転軸１７ｂは図示せぬ軸受けで回転自在に支承されるとともに、それぞれの端部に取り付けた図示せぬ歯車同士が噛合し、駆動モータ２６からの回転力あるいは図示せぬ回転駆動源からの回転力により互いに逆方向に回転駆動される。
【００３５】
第１回転刃１６ａは第１回転軸１７ａと一体回転するように取り付けられている。第２回転刃１６ｂは、第２回転軸１７ｂに対して軸方向に移動可能でかつ第２回転軸１７ｂと一体回転するように取り付けられている。第１回転刃１６ａを厚刃に形成し、第２回転刃１６ｂを薄刃に形成することができ、スリッター裁断部１５で切断された余白３４は、自由落下して余白箱２７内に収納することができる。
【００３６】
スリッター裁断部１５で余白を切断されたカードは、排出ローラ１８から機外に排出され、カード裁断装置３０に設けた製品受け２８内に収納される。
【００３７】
搬送路を形成するピックアップローラ３、給紙ローラ４、第１搬送ローラ７、第２搬送ローラ１２、第３搬送ローラ１３及び排出ローラ１８は、駆動モータ２６により駆動することができる。また、裁断部１１における上下一対の切断刃２０、２１の駆動及びスリッター裁断部１５における第１回転刃１６ａ、第２回転刃１６ｂの駆動は、駆動モータ２６の駆動力を利用することも、裁断部１１及びスリッター裁断部１５またはピックアップローラ３と給紙ローラ４からなる給紙部にそれぞれ専用の駆動源を配して、それぞれの駆動源を利用することもできる。
【００３８】
本願発明における裁断部１１にイオン化した空気を供給する構成について次に説明を行う。イオナイザー装置２５は、カード裁断装置３０の搬送路上流側における下方部位に配している。イオナイザー装置２５の設置位置は、搬送路上流側における下方部位に限定されるものではなく、イオナイザー装置２５の外形寸法が収納できる空間部にイオナイザー装置２５を設置することができるものである。
【００３９】
本願実施例においては、駆動モータ２６及び余白箱２７の設置等を考慮すると図１に示す部位にイオナイザー装置２５を設置することが望ましい。また、イオナイザー装置２５をカード裁断装置３０の機外に設置する場合には、機外に設置したイオナイザー装置２５とカード裁断装置３０間をパイプ等のイオン化した空気の供給路を配することで、適宜の場所に配置することができる。
【００４０】
イオナイザー装置２５と裁断部１１において上部切断刃２０を覆うカバー２２間には、図示せぬパイプが配されており、同パイプによってイオナイザー装置２５で発生したイオン化した空気をカバー２２内に導入している。カバー２２内に導入されたイオン化した空気は、前記パイプ端部に配した噴出し口２３からカバー２２内に吹き出すことができる。
【００４１】
図２に裁断部１１の部分拡大図を示すように、噴出し口２３から吹き出されたイオン化された空気２４は、カバー２２の内壁面に反射しながら上部切断刃２０と下部切断刃２１及び同切断刃２０、２１により切断されるため位置決めされたカード用紙に吹き付けることができる。
【００４２】
即ち、上下一対の切断刃２０、２１による切断をイオン化された雰囲気下で行うことができる。また、上部切断刃２０が切断箇所から上方に退避している場合においても、常に上下一対の切断刃２０、２１をイオン化した空気に曝しておくことができる。
【００４３】
これによって、静電気が一対の切断刃２０、２１に帯電することを防止することができると共に、切断位置に位置決めされたカード用紙に対しても静電気が帯電するのを防止することができる。このため、上下一対の切断刃２０、２１で切断された余白（図３、４における余白３３。）が、切断刃２０、２１に付着することなく、裁断部１１の下方に配した余白箱２７に落下させることができる。特に、図３、４で示す余白３３のうちカード用紙の後端部にある余白３３が、下部切断刃２１に付着するのを防止することができる。
【００４４】
また、イオナイザー装置２５で発生したイオン化した空気を、搬送路を形成するピックアップローラ３、給紙ローラ４、第１搬送ローラ７、第２搬送ローラ１２、第３搬送ローラ１３及び排出ローラ１８間に供給することにより、搬送中のカード用紙に静電気が帯電するのを防止することができる。
【００４５】
更に、外装カバーで覆われたカード裁断装置３０の閉空間内にイオン化した空気を供給し、カード裁断装置３０内をイオン化した空気の雰囲気下におくことで、静電気の発生を満遍なく抑制することが可能となる。この場合、イオナイザー装置２５は、カード裁断装置３０内に設置しておくことも、カード裁断装置３０の機外に別途設置しておくこともできる。
【００４６】
カード裁断装置３０の機外にイオナイザー装置２５を設置するときには、イオナイザー装置とカード裁断装置３０とをパイプ等により連通し、イオナイザー装置で発生したイオン化した空気をカード裁断装置３０内に配した図示せぬ供給路を介して裁断部１１や搬送路に供給させることができる。あるいは、イオナイザー装置とカード裁断装置３０とを連通したパイプ等を用いて、カード裁断装置内にイオン化した空気が充満するように供給することもできる。
【００４７】
イオナイザー装置としては、所望のケーシング等の内側に一対の電極針を対峙させて配置した構成のものを用いることもできる。そして、前記一対の電極針にそれぞれプラス・マイナスの直流高電圧を印加することで一対の電極針間にコロナ放電を起こさせ、空気中のガス成分をイオン化してイオンを発生させることもできる。しかも、一対の電極針を内臓したケーシング等を裁断部におけるカバーに設置することや搬送路近傍に設置することなどを行うことができる。
【産業上の利用可能性】
【００４８】
本願発明は、カード裁断装置における裁断部で切断された余白が切断刃に付着するのを防止することができるものであるが、カード裁断装置内のスリッター裁断部における一対の回転刃に同回転刃でスリット切断した余白が回転刃に付着するのを防止するのに対して使用することもできる。
【図面の簡単な説明】
【００４９】
【図１】本願発明に係わるカード裁断装置の一例を示した断面図である。（実施例）
【図２】裁断部の部分拡大図である。（実施例）
【図３】カード用紙の印刷又は印字形態を示す図である。（実施例）
【図４】カード用紙の他の印刷又は印字形態を示す図である。（実施例）
【符号の説明】
【００５０】
１        給紙トレー
２        カード用紙
３        ピックアップローラ
４        給紙ローラ
６        重送防止パッド
７        第１搬送ローラ
８        第１搬送加圧ローラ
１１      裁断部
１２      第２搬送ローラ
１２’    加圧ローラ
１３      第３搬送ローラ
１３’    加圧ローラ
１５      スリッター裁断部
１６ａ    第１回転刃
１６ｂ    第２回転刃
１７ａ      第１回転軸
１７ｂ      第２回転軸
１８      排出ローラ
２０      上部切断刃
２１      下部切断刃
２２      カバー
２３      パイプ吹き出し口
２４      イオン化した空気
２５      イオナイザー装置
２６      駆動モータ
２７      余白箱
２８      製品受け
３０      カード裁断装置
３１      カード部
３３      余白部（横）
３４      余白部（縦）
３５      切断線（横）
３６      切断線（縦）
Ｓ１〜Ｓ３      第１〜第３センサ
【図１】
2005052927.tif 000003
【図２】
2005052927.tif 000004
【図３】
2005052927.tif 000005
【図４】
2005052927.tif 000006